(57)【要約】本発明は、フレーム（１）、及びフレーム（１）に設けられるＰＣＴ板（プリント基板）（５）を含む、磁気抵抗技術に基づいて磁気パターンの表面磁界を検査する磁気ヘッドであって、前記磁気ヘッドの表面に平行となる磁界を発生させるための水平励磁構造（２０、２１）、及び前記磁気パターンの表面漏洩磁界の垂直成分の分布状況を検出するための、磁気抵抗ＭＲ素子（Ｒ１−Ｒ４）による磁界検出部（４）を更に含むことを特徴とする、磁気抵抗技術に基づいて磁気パターンの表面磁界を検査する磁気ヘッドに関するものである。前記磁気ヘッドは、軟磁性材料又は硬磁性材料により生じる磁気パターンを効率的に検出する。軟磁性材料は水平励磁構造（２０、２１）により水平磁化され、磁気パターン表面に特定の漏洩磁界を発生させる。そのような特定の漏洩磁界の垂直成分を効率的に検出するために、ＭＲ素子（Ｒ１−Ｒ４）に基づくホイートストンブリッジ構造による接続が採用され、これにより、軟磁性材料又は硬磁性材料からなる磁気パターンの特性を効率的に検出することができる。
2016518599.tif 000002
【特許請求の範囲】
【請求項１】
フレーム、及びフレームに設けられるＰＣＢ板を含む、磁気抵抗技術に基づいて磁気パターンの表面磁界を検査する磁気ヘッドであって：
前記磁気ヘッドの表面に平行となる磁界を発生させるための水平励磁構造；及び
前記磁気パターンの表面漏洩磁界の垂直成分の分布状況を検出するための、磁気抵抗ＭＲ素子による磁界検出部；
を更に含むことを特徴とする、磁気抵抗技術に基づいて磁気パターンの表面磁界を検査する磁気ヘッド。
【請求項２】
前記水平励磁構造は、水平磁化する前後２つの永久磁石が磁化方向に沿って前記磁界検出部の前後位置に載置されることを特徴とする、請求項１に記載の磁気抵抗技術に基づいて磁気パターンの表面磁界を検査する磁気ヘッド。
【請求項３】
前記水平励磁構造は、垂直磁化する前後２つの永久磁石が磁化方向の垂直方向に沿って前記磁界検出部の前後の対称位置の各端に載置されることを特徴とする、請求項１に記載の磁気抵抗技術に基づいて磁気パターンの表面磁界を検査する磁気ヘッド。
【請求項４】
前記水平励磁構造は、水平磁化する１つの永久磁石が前記磁界検出部の前端／後端に載置され、他の１つの軟磁性材料体が前記磁界検出部の後端／前端位置に載置されることを特徴とする、請求項１に記載の磁気抵抗技術に基づいて磁気パターンの表面磁界を検査する磁気ヘッド。
【請求項５】
前記磁界検出部は、複数の磁気抵抗ＭＲ素子からなるホイートストンブリッジ型構造であることを特徴とする、請求項１〜４のいずれか一項に記載の磁気抵抗技術に基づいて磁気パターンの表面磁界を検査する磁気ヘッド。
【請求項６】
前記ホイートストンブリッジ型構造は、ホイートストンフルブリッジ構造又はホイートストンハーフブリッジ構造であることを特徴とする、請求項５に記載の磁気抵抗技術に基づいて磁気パターンの表面磁界を検査する磁気ヘッド。
【請求項７】
前記ホイートストンブリッジ型構造がホイートストンフルブリッジ構造である場合、２つの前記磁気抵抗ＭＲ素子は磁気ヘッドの表面に近接し、他の２つの前記磁気抵抗ＭＲ素子は磁気ヘッドの表面から離れ、前記ホイートストンブリッジ型構造がホイートストンハーフブリッジ構造である場合、１つの前記磁気抵抗ＭＲ素子は磁気ヘッドの表面に近接し、他の１つの前記磁気抵抗ＭＲ素子は磁気ヘッドの表面から離れることを特徴とする、請求項６に記載の磁気抵抗技術に基づいて磁気パターンの表面磁界を検査する磁気ヘッド。
【請求項８】
前記磁気抵抗ＭＲ素子の感応方向は、前記磁気ヘッドの表面の垂直方向と一致することを特徴とする、請求項７に記載の磁気抵抗技術に基づいて磁気パターンの表面磁界を検査する磁気ヘッド。
【請求項９】
前記磁気抵抗ＭＲ素子は、異方性磁気抵抗ＡＭＲ素子、巨大磁気抵抗ＧＭＲ素子又はトンネル磁気抵抗ＴＭＲ素子のうちの少なくとも１種であることを特徴とする、請求項８に記載の磁気抵抗技術に基づいて磁気パターンの表面磁界を検査する磁気ヘッド。
【発明の詳細な説明】
【技術分野】
【０００１】
本発明は、磁気抵抗技術に基づいて磁気パターンの表面磁界を検査する磁気ヘッドに関する。
【背景技術】
【０００２】
紙幣の磁気偽造防止分野において、現在、市場ではオーディオ磁気ヘッド技術、磁気抵抗磁気ヘッド技術、及び巨大磁気抵抗効果技術が主に使用され、手形の偽造防止分野では、オーディオ磁気ヘッドが主に使用されている。
【０００３】
オーディオ磁気ヘッド技術は、パーマロイなどの軟磁性材料を使用し、１つの隙間を有する環状構造を製造し、環状構造にコイルを巻きつけるものである。該環状構造のエアギャップが磁気パターンの表面を高速に通過するとき、ファラデーの電磁誘導の法則に基づき、コイル内部に誘導電流が生じる。誘導電流の変化を検出することで、磁気パターンの表面磁界の変化を得るものである。該技術には、以下の主な短所がある。１．硬磁性材料の検出に適した表面漏洩磁界は、軟磁性材料を検出するとき、外部励磁磁界を供する必要がある。ここで該外部励磁磁界は、該磁気ヘッドの感度に大きく影響する。２．マルチ磁気ヘッドを製造する場合、各磁気ヘッドの感度の同一性を保証することが非常に難しく、生産の歩留まり率を低下させ、製品の生産コストを増加させる。３．該磁気ヘッドは、抗外部磁界干渉能力が低いため、複雑な作業環境では、各種の干渉源に対して必要な遮蔽処理を行うことが要求され、続いて製造される応用製品のコストを増加させ、一方で、続いて製造される応用製品の設計難度も高める。４．信号の出力振幅と磁気ヘッドの被検出磁気パターンに対する相対速度とが関連しており、信号の定量分析に対する難度が高くなる。５．一定の磁界が確実に存在するが、空間における磁界の差異が大きくない場合、実測による磁気ヘッドの出力が小さく、磁気情報の検出漏れを発生させる可能性がある。
【０００４】
磁気抵抗磁気ヘッド技術は、ＩｎＳｂなどの磁気抵抗材料を使用し、２つの磁気抵抗、電気抵抗により１つのホイートストンハーフブリッジを組み合わせ、２つの磁気抵抗には、平面において空間上の位置の差があり、２つの磁気抵抗における磁界の相違を検出することにより磁気パターン表面の磁界勾配を検出するものである。該技術には、以下の主な短所がある。１．該技術には、素子の垂直方向に１つのバイアス磁界を追加することで、初めて、磁気抵抗が働くこととなる。同時に、軟磁性パターンを垂直磁化する必要があるが、必要な磁界が一般的に大きい。該磁界の発生は、非常に強い磁性を持つ永久磁石で発生させて磁性の減衰を抑えることが必要であるが、磁性の減衰の必然性のため、磁気抵抗の感度が変化する可能性がある。つまり測定時間の経過により、磁気ヘッドの感度が変化する。２．磁気抵抗素子の感度が低く、一般的に０．２ｍＶ／Ｖ／Ｇｓ〜１ｍＶ／Ｖ／Ｇの範囲であるため、弱磁界を測定する場合（紙幣上の軟磁性情報の磁界強度はいずれも一般的に低い）、測定後の、信号処理回路の拡大倍率を非常に高くする必要がある。３．磁気抵抗素子のノイズが大きく、弱磁界の信号を検出するとき、比較的に複雑な周波数ロック拡大技術を必要とし、また検出される磁界信号の周波数はある程度制限される。４．ハーフブリッジ構造を採用し、電源変動及び外部カップリング信号に対する抗干渉能力に限度があるため、複雑な作業環境では、各種の干渉源に対して必要な遮蔽処理を行う必要があり、続いて製造される応用製品のコストを増加させ、一方で続いて製造される応用製品の設計難度を高める。５．マルチ磁気ヘッドのデザインである場合、各磁気ヘッドの感度の同一性を保証することが非常に難しく、生産の歩留まり率を低下させ、製品の生産コストを増加させる。６．グラジオメターの設計を採用し、磁界の垂直成分の空間的勾配のみを識別し、磁界の実際の分布を直感的に測定することができず、一定の磁界が確実に存在するが空間における磁界の差異が大きくない場合には、実測による磁気ヘッドの出力が小さく、磁気情報の検出漏れを発生させる可能性がある。
【０００５】
巨大磁気抵抗効果（ＧＭＲ）技術は、薄膜プロセスにより製造され、感度方向が薄膜面内にあるものである。該技術の磁気ヘッドによる実現には主に２種の方式がある。１つは、基板に２つのＧＭＲ電気抵抗を製造し、この２つのＧＭＲ電気抵抗の感度方向は一致しても、逆になってもよく、この２つのＧＭＲ電気抵抗をホイートストンハーフブリッジの形態に接続する。もう１つは、２つのＧＭＲ電気抵抗が載置される平面と、検出される磁気パターンが位置する平面とが平行であると共に、２つのＧＭＲ電気抵抗が載置される相対位置は、磁気パターンが進行する方向に平行となってもよく、磁気パターンが進行する方向に垂直となってもよい。この２種の方式は、いずれも磁気パターンの表面漏洩磁気の面内成分の、面内の２つのＧＭＲ電気抵抗配列方向における勾配値を検出するものである。該技術の長所は、薄膜プロセスを採用したことにより、容易に製品の生産同一性を保証することである。該技術の短所は以下である。１．勾配検出方式を採用したため、磁界の実際の分布を直接測定することができず、一定の磁界が確実に存在するが空間における磁界の差異が大きくない場合、磁気ヘッドの実際出力が小さく、磁気情報の検出漏れを発生させる可能性がある。２．ハーフブリッジ構造を採用したため、電源変動及び外部カップリング信号に対する抗干渉能力に限度があるため、複雑な作業環境では、各種の干渉源に対して必要な遮蔽処理を行う必要があり、続いて製造される応用製品のコストを増加させ、一方で続いて製造される応用製品の設計難度も高める。
【発明の概要】
【発明が解決しようとする課題】
【０００６】
本発明は、従来の技術に存在する欠陥に対して、磁界の垂直成分の実際の大きさを精密に測定することができる、磁気抵抗技術に基づいて軟磁性パターンを検出する磁気ヘッドを提供することを目的とし、これは、磁気パターンの表面漏洩磁気の定量分析の可能性を提供する。
【課題を解決するための手段】
【０００７】
本発明は、上記目的を実現するために、以下の技術方案を採用する。磁気抵抗技術に基づいて磁気パターンの表面磁界を検査する磁気ヘッドは、フレーム、及びフレームに設けられるＰＣＢ板を含み、磁気ヘッドの表面に平行となる磁界を発生させるための水平励磁構造と、磁気パターンの表面漏洩磁界の垂直成分の分布状況を検出するための、磁気抵抗ＭＲ素子による磁界検出部とを更に含む。
【０００８】
更に、前記水平励磁構造は、水平磁化する前後２つの永久磁石が磁化方向に沿って前記磁界検出部の前後位置に載置される。
【０００９】
更に、前記水平励磁構造は、垂直磁化する前後２つの永久磁石が磁化方向の垂直方向に沿って前記磁界検出部の前後の対称位置の各端に載置される。
【００１０】
更に、前記水平励磁構造は、水平磁化する１つの永久磁石が前記磁界検出部の前端／後端に載置され、他の１つの軟磁性材料体が前記磁界検出部の後端／前端位置に載置される。
【００１１】
更に、前記磁界検出部は、複数の磁気抵抗ＭＲ素子からなるホイートストンブリッジ型構造である。
【００１２】
更に、前記ホイートストンブリッジ型構造は、ホイートストンフルブリッジ構造又はホイートストンハーフブリッジ構造である。
【００１３】
更に、前記ホイートストンブリッジ型構造がホイートストンフルブリッジ構造である場合、２つの磁気抵抗ＭＲ素子は磁気ヘッドの表面に近接し、他の２つの磁気抵抗ＭＲ素子は磁気ヘッドの表面から離れ、前記ホイートストンブリッジ型構造がホイートストンハーフブリッジ構造である場合、１つの磁気抵抗ＭＲ素子は磁気ヘッドの表面に近接し、他の１つの磁気抵抗ＭＲ素子は磁気ヘッドの表面から離れる。
【００１４】
更に、前記磁気抵抗ＭＲ素子の感応方向は、磁気ヘッドの表面の垂直方向と一致する。
【００１５】
更に、前記磁気抵抗ＭＲ素子は、異方性磁気抵抗ＡＭＲ素子、巨大磁気抵抗ＧＭＲ素子又はトンネル磁気抵抗ＴＭＲ素子のうちの少なくとも１種である。
【発明の効果】
【００１６】
（１）本発明は、磁気抵抗技術を採用し、極めて高い磁界感度を有し、測定後の信号処理回路による処理が比較的簡単になるようにする。水平励磁方式を採用し、検出する位置に励磁磁界を直接追加することが可能であり、磁気パターンが微視的にはシート状であるため、その磁性磁化容易軸が、水平方向において必要な励磁磁界が小さいため、該磁界の発生に必要な永久磁石が安いフェライト材料であってもよく、生産コストを効果的に低下させると共に、励磁磁界の熱安定性を高める。
【００１７】
（２）本発明は、軟磁性材料からなる磁気パターンを効果的に検出することが可能である。水平励磁構造により軟磁性材料を面内磁化し、磁気パターン表面に特定の漏洩磁界を発生させ、垂直方向検出用ＭＲ素子からなるホイートストンブリッジ回路構造は、該構造が磁気パターンの表面漏洩磁気の垂直成分の大きさを効果的に検出することができ、磁気パターンの表面漏洩磁界の実情況を実反映するため、軟磁性材料からなる磁気パターンの特徴を効果的に検出することができ、磁気パターンの表面漏洩磁気の定量分析のための可能性を提供する。漏洩磁界が確実に存在するが磁界の面内における空間的勾配が小さい場合、既存磁気ヘッドが検出漏洩を発生させる情況を阻止する。
【００１８】
（３）本発明は、ホイートストンフルブリッジ構造を採用し、４つの磁気抵抗の感度方向が同じであるため、非常に優れた抗外部電磁界干渉能力を有する。
【図面の簡単な説明】
【００１９】
【図１】図１は、本発明の第１種類の励磁構造の模式図である。
【図２】図２は、本発明の第２種類の励磁構造の模式図である。
【図３】図３は、本発明の第３種類の励磁構造の模式図である。
【図４】図４は、本発明のホイートストンブリッジ型構造の模式図である。
【図５】図５は、本発明におけるホイートストンブリッジ型構造の３種のブリッジ回路の接続模式図である。
【図６】図６は、本発明の磁界の分布グラフである。
【図７】図７は、本発明の磁気抵抗ＭＲ素子が磁界に位置する分布グラフである。
【発明を実施するための形態】
【００２０】
図１〜図３に示すように、磁気抵抗技術に基づいて磁気パターンの表面磁界を検査する磁気ヘッドは、フレーム１、及びフレームに設けられるＰＣＢ板５を含み、磁気ヘッドの表面に平行となる磁界を発生させるための水平励磁構造と、磁気パターンの表面漏洩磁界の垂直成分の分布状況を検出するための、磁気抵抗ＭＲ素子による磁界検出部とを更に含み、ここで、該磁界は、軟磁性材料からなる磁気パターンを磁化することができ、該磁気パターンが磁化された後、その表面に特定の漏洩磁界分布が生じ、該磁界の数値は、磁気パターンの表面からの距離の増加に従って急激に低下する。
【００２１】
該励磁構造は多様な実施態様があってもよい。図１において、前記励磁構造は、水平磁化する前後２つの永久磁石２０、２１が磁化方向に沿って前記磁界検出部４の前後位置に載置される。
【００２２】
図２において、前記励磁構造は、垂直磁化する前後２つの永久磁石２０、２１が磁化方向の垂直方向に沿って前記磁界検出部４の前後の対称位置の各端に載置される。
【００２３】
図３において、前記励磁構造は、水平磁化する１つの永久磁石２１が前記磁界検出部４の前端／後端に載置され、他の１つの軟磁性材料体７が前記磁界検出部４の後端／前端位置に載置される。その他、水平方向の励磁磁界を得る方法が多種ある。
【００２４】
図４に示すように、磁界検出部は、複数の磁気抵抗ＭＲ素子からなるホイートストンブリッジ型構造である。前記磁気抵抗ＭＲ素子の感応方向は磁気ヘッドの表面の垂直方向と一致する。前記磁気抵抗ＭＲ素子は、異方性磁気抵抗ＡＭＲ素子、巨大磁気抵抗ＧＭＲ素子又はトンネル磁気抵抗ＴＭＲ素子のうちの少なくとも１種である。前記ホイートストンブリッジ型構造がホイートストンフルブリッジ構造である場合、２つの磁気抵抗ＭＲ素子は磁気ヘッドの表面に近接し、他の２つの磁気抵抗ＭＲ素子は磁気ヘッドの表面から離れ、前記ホイートストンブリッジ型構造がホイートストンハーフブリッジ構造である場合、１つの磁気抵抗ＭＲ素子は磁気ヘッドの表面に近接し、他の１つの磁気抵抗ＭＲ素子は磁気ヘッドの表面から離れる。
【００２５】
図５は具体的な実施態様である。１つの磁気抵抗Ｒ１／Ｒ２（ハーフブリッジの場合）又は２つの磁気抵抗Ｒ１とＲ２（フルブリッジの場合）が磁気ヘッドの表面に近接し、他の１つの磁気抵抗Ｒ３／Ｒ４（ハーフブリッジの場合）又は２つの磁気抵抗Ｒ３とＲ４（フルブリッジの場合）が磁気ヘッドの表面から離れる。これら磁気抵抗ＭＲ素子は、ホイートストンフルブリッジ又はホイートストンハーフブリッジの構造により接続される（図５のａ、ｂ、ｃの３種類のブリッジ回路の接続方法を参照）。磁気ヘッドの表面に近接する磁気抵抗が感じる磁界振幅が、磁気ヘッドの表面から離れた磁気抵抗が感じる磁界振幅より遥かに大きく、後方の磁界はゼロに近いため、該磁界検出部４は、磁気パターンの表面磁界の垂直成分の実際の分布状況を検出することができる。
【００２６】
図６に示すように、磁気抵抗ＭＲ素子の電気抵抗は外部磁界の変化曲線に従って２種のタイプがある。１種は、外部磁界が飽和磁界より小さいとき、磁気抵抗ＭＲ素子の電気抵抗が外部磁界に従ってリニアに変化する。これを「リニア磁気抵抗ＭＲ素子」と称する。他の１種は、外部磁界が飽和磁界より小さいとき、磁気抵抗ＭＲ素子の電気抵抗は外部磁界の変化に従って曲線が逆「Ｖ」型曲線となる。これを「Ｖ型磁気抵抗ＭＲ素子」と称する。磁石と磁気抵抗ＭＲ素子との相対位置の誤差及び磁石の加工誤差などの要素の影響のため、磁気抵抗ＭＲ素子の感度方向において一定の大きさの磁界がある可能性があるが、該磁界はいずれもＭＲ素子の作業域内に制御される。リニア磁気抵抗ＭＲ素子は、永久磁石を使用して磁気抵抗ＭＲ素子の対称位置に配置され、磁気抵抗ＭＲ素子の作業域をゼロ磁界に近接させ（磁界の分布グラフ、図６（ａ）を参照）、Ｖ型磁気抵抗ＭＲ素子は、永久磁石の磁気抵抗ＭＲ素子の位置に対する非対称性を適切に調整し、磁気抵抗ＭＲの作業域を調整して正磁界域あるいは負磁界域に位置させる（磁界の分布グラフ、図６（ｂ）を参照）。
【００２７】
図７には、磁気抵抗ＭＲ素子の磁界における２種類の成分の分布が示され、図７ａは、リニア磁気ＭＲ素子が磁界中に位置する分布情況であり、７ｂは、Ｖ型磁気抵抗ＭＲ素子が磁界中に位置する分布情況である。
【００２８】
以上に述べた内容は、本発明の好ましい実施態様に過ぎず、本発明を限定するものではない。本発明の精神及び原則内になされたあらゆる修正、均等置換、改良等は、いずれも本発明の保護範囲内に含まれるものとする。
【図１】
2016518599.tif 000003
【図２】
2016518599.tif 000004
【図３】
2016518599.tif 000005
【図４】
2016518599.tif 000006
【図５】
2016518599.tif 000007
【図６】
2016518599.tif 000008
【図７】
2016518599.tif 000009
【国際調査報告】
2016518599.tif 000010
2016518599.tif 000011
2016518599.tif 000012
2016518599.tif 000013
2016518599.tif 000014
2016518599.tif 000015